(57)【要約】    【構成】  通信モジュール１０は、プロセッサ１８を含み、プロセッサ１８は、リセット回路２６からのリセット信号に応じて、所定のリセットの処理を実行する。電源オフ状態から電源オン状態になると、外部電源が電源回路２４に供給され、電源回路２４は、各回路コンポーネントに電源を供給する。このとき、リセット回路２６からプロセッサ１８にリセットが要求される。また、外部機器からのリセット制御信号は、リセット回路２６を介してプロセッサ１８に与えられる。したがって、外部機器からプロセッサ１８にリセットが要求される場合がある。リセット判別回路２８は、外部機器からのリセットの要求であるかどうかを判別し、その判別結果をプロセッサ１８に入力する。したがって、プロセッサ１８は、リセットの種類に応じたリセットの処理を実行する。    【効果】  簡単な構成でリセットの種類を判別し、適切なリセットの処理を実行することができる。【選択図】  図２
2012174000.tif 000002
【特許請求の範囲】
【請求項１】
リセット信号に基づいて所定のリセットの処理を実行するリセット処理部、
電源が供給されたときに電源リセットの要求に基づく第１リセット信号を前記リセット処理部に出力する第１リセット信号出力部、
前記通信モジュールと接続される外部機器からの外部リセットの要求に基づく第２リセット信号を前記リセット処理部に出力する第２リセット信号出力部、および
前記リセット信号処理部に与えられたリセット信号が前記第２リセット信号であるかどうかを判別する判別部を備える、通信モジュール。
【請求項２】
前記判別部は、
定電圧源からの電圧信号が入力されるＤ端子、および
前記外部リセットの要求に応じて前記Ｄ端子への電圧信号をラッチして前記リセット処理部に出力するＱ端子を備える、Ｄ型フリップフロップを含む、請求項１記載の通信モジュール。
【請求項３】
前記Ｄ型フリップフロップのクロック端子はダイオードのアノードに接続され、当該ダイオードと当該クロック端子との接続点には前記定電圧源が接続され、当該ダイオードのカソードには所定期間ローレベルとなる前記外部リセットの要求に基づく制御信号が入力される端子が接続され、
前記制御信号の論理状態の変化に応じて前記ダイオードがオン／オフされ、
前記Ｄ型フリップフロップは、前記クロック端子の立ち上がりエッジで、前記Ｄ端子への電圧信号をラッチする、請求項２記載の通信モジュール。
【請求項４】
請求項１ないし３のいずれかに記載の通信モジュールを備える、車載機器。
【発明の詳細な説明】
【技術分野】
【０００１】
この発明は、通信モジュールおよび車載機器に関し、特にたとえば、外部機器からのリセット信号を受信する、通信モジュールおよび車載機器に関する。
【背景技術】
【０００２】
背景技術の一例が特許文献１に開示されている。この特許文献１に開示されたシステムリセット制御回路では、外部リセット発生回路より発生した外部リセット信号をラッチしソフトウェアにて判断するためのフラグを発生させるための回路と、内部回路にて発生したリセット用の信号をラッチしソフトウェアにて判断するためのフラグを発生させるための回路とが設けられる。
【特許文献１】特開平１−１９１９１６号公報［G06F 1/00］
【発明の概要】
【発明が解決しようとする課題】
【０００３】
しかし、特許文献１のシステムリセット制御回路では、外部リセット発生回路で発生した外部リセット信号と、内部回路にて発生したリセット用の信号とを判別するための２つの回路を設けるため、回路が大きくなってしまう。また、コストも高くなってしまう。
【０００４】
それゆえに、この発明の主たる目的は、新規な、通信モジュールおよび車載機器を提供することである。
【０００５】
この発明の他の目的は、簡単な構成でリセットの種類を判別できる、通信モジュールおよび車載機器を提供することである。
【課題を解決するための手段】
【０００６】
この発明は、上記の課題を解決するために、以下の構成を採用した。なお、括弧内の参照符号および補足説明等は、この発明の理解を助けるために記述する実施形態との対応関係を示したものであって、この発明を何ら限定するものではない。
【０００７】
第１の発明は、リセット信号に基づいて所定のリセットの処理を実行するリセット処理部、電源が供給されたときに電源リセットの要求に基づく第１リセット信号をリセット処理部に出力する第１リセット信号出力部、通信モジュールと接続される外部機器からの外部リセットの要求に基づく第２リセット信号をリセット処理部に出力する第２リセット信号出力部、およびリセット信号処理部に与えられたリセット信号が第２リセット信号であるかどうかを判別する判別部を備える、通信モジュールである。
【０００８】
第１の発明では、通信モジュール（１０）は、リセット処理部（１８）、第１リセット信号出力部（２６）、第２リセット信号出力部（２６、５０）および判別部（２８）を備える。リセット処理部は、リセット信号に基づいて所定のリセットの処理を実行する。たとえば、リセット処理部は、後述する第１リセット信号に基づくリセットの処理または後述する第２リセット信号に基づくリセットの処理を実行する。第１リセット信号出力部は、電源が供給されたときに電源リセットの要求に基づく第１リセット信号をリセット処理部に出力する。第２リセット信号出力部は、通信モジュールと接続される外部機器からの外部リセットの要求に基づく第２リセット信号をリセット処理部に出力する。判別部は、リセット信号処理部に与えられたリセット信号が第２リセット信号であるかどうかを判別する。これによって、リセット信号が第１リセット信号または第２リセット信号かを判別する。つまり、リセットの種類が判別される。
【０００９】
第１の発明によれば、判別部を設けるだけなので、簡単な構成でリセットの種類を判別することができる。
【００１０】
第２の発明は、第１の発明に従属し、判別部は、定電圧源からの電圧信号が入力されるＤ端子、および第２リセット信号の入力に応じてＤ端子への電圧信号をラッチしてリセット処理部に出力するＱ端子を備える、Ｄ型フリップフロップを含む。
【００１１】
第２の発明では、判別部は、Ｄ型フリップフロップ（２８ａ）を含む。Ｄ型フリップフロップのＤ端子には、定電圧源からの電圧信号が入力される。また、Ｄ型フリップフロップのＱ端子は、外部リセットの要求に応じてＤ端子への電圧信号をラッチしてリセット処理部に出力する。つまり、リセット処理部は、Ｑ端からの信号の論理状態に応じて、リセットの種類を判別する。
【００１２】
第２の発明によれば、Ｄフリップフロップからの信号の論理状態に応じて、外部リセットの要求であるかどうかを判別するので、簡単に判別することができる。
【００１３】
第３の発明は、第２の発明に従属し、Ｄ型フリップフロップのクロック端子はダイオードのアノードに接続され、当該ダイオードと当該クロック端子との接続点には定電圧源が接続され、当該ダイオードのカソードには所定期間ローレベルとなる外部リセットの要求に基づく制御信号が入力される端子が接続され、制御信号の論理状態の変化に応じてダイオードがオン／オフされ、Ｄ型フリップフロップは、クロック端子の立ち上がりエッジで、Ｄ端子への電圧信号をラッチする。
【００１４】
第３の発明では、Ｄ型フリップフロップのクロック端子は、ダイオードのアノードに接続され、当該ダイオードと当該クロック端子との接続点には定電圧源が接続される。また、ダイオードのカソードには、所定期間ローレベルとなる外部リセットの要求に基づく制御信号が入力される端子が接続される。したがって、制御信号の論理状態の変化に応じてダイオードがオン／オフされる。Ｄ型フリップフロップは、クロック端子の立ち上がりエッジで、Ｄ端子への電圧信号をラッチする。つまり、外部リセットの要求があると、定電圧源からの電圧信号がラッチされる。Ｑ端子からリセット処理部に与えられる信号はハイレベルとなる。
【００１５】
第３の発明によれば、制御信号が入力される端子とクロック端子との間にダイオードを設けるだけなので、簡単な構成で、制御信号の論理状態に応じて、外部リセットの要求かどうかを判別することができる。
【００１６】
第４の発明は、第１ないし第３の発明のいずれかに記載の通信モジュールを備える、車載機器である。
【００１７】
第４の発明においても、第１の発明と同様に、簡単な構成でリセットの種類を判別することができる。
【発明の効果】
【００１８】
この発明によれば、簡単な構成でリセットの種類を判別することができる。
【００１９】
この発明の上述の目的、その他の目的、特徴および利点は、図面を参照して行う以下の実施例の詳細な説明から一層明らかとなろう。
【図面の簡単な説明】
【００２０】
【図１】図１はこの発明の一実施例の車載機器の電気的な構成を示すブロック図である。
【図２】図２は図１に示すリセット回路およびリセット判別回路の具体的な構成を示す図である。
【図３】図３は図２に示すプロセッサ、リセット回路およびリセット判別回路に入出力される信号のタイミングチャートである。
【発明を実施するための形態】
【００２１】
図１を参照して、この発明の一実施例である車載機器１００は、たとえばカーナビゲーションシステムとして実現され、図示しない自動車に搭載され、通信モジュール１０、アンテナ１２およびユーザインターフェース部１４を含む。通信モジュール１０は、無線通信回路１６、プロセッサ１８、フラッシュメモリ２０、ＲＡＭ２２、電源回路２４、リセット回路２６およびリセット判別回路２８から構成されており、さらに、外部機器（図示せず）を接続するためのコネクタ５０を有している。
【００２２】
アンテナ１２は、通信モジュール１０内の無線通信回路１６に接続される。無線通信回路１６はプロセッサ１８に接続され、プロセッサ１８には、フラッシュメモリ２０、ＲＡＭ２２、リセット回路２６、リセット判別回路２８およびコネクタ５０が接続される。また、電源回路２４は、リセット回路２６を介してプロセッサ１８に接続されるとともに、無線通信回路１６、フラッシュメモリ２０、ＲＡＭ２２およびリセット判別回路２８に接続される。
【００２３】
ユーザインターフェース部１４は、マイク３０、スピーカ３２、キー入力装置３４、表示ドライバ３６およびディスプレイ３８から構成され、それぞれ、通信モジュール１０内のプロセッサ１８に接続される。また、表示ドライバ３６にはディスプレイ３８が接続される。
【００２４】
プロセッサ１８は、コンピュータまたはＣＰＵと呼ばれ、車載機器１００の全体制御を司る。ＲＡＭ２２は、プロセッサ１８の作業領域（描画領域を含む）ないしバッファ領域として用いられる。フラッシュメモリ２０には、文字、画像、音声、音および映像のようなコンテンツのデータが記録される。
【００２５】
電源回路２４は、電源管理用のＩＣであり、外部電源が接続され、その外部電源に基づく電源を、無線通信回路１６、フラッシュメモリ２０、ＲＡＭ２２およびリセット判別回路２８に供給するとともに、リセット回路２６を介してプロセッサ１８に供給する。ここで、電源回路２４が電源をシステム全体に供給している場合には、電源オン状態と言うことにする。一方、電源回路２４が電源をシステム全体に供給していない場合には、電源オフ状態と言うことにする。この実施例では、外部電源とは、車両のシガーソケットから供給される１２Ｖ電源のことである。
【００２６】
図示は省略するが、プロセッサ１８は、Ａ／Ｄ変換器およびＤ／Ａ変換器を内蔵している。そのため、プロセッサ１８は、マイク３０を通して入力される音声ないし音についてのアナログ音声信号を、内蔵されるＡ／Ｄ変換器によってデジタル音声信号に変換する。さらに、プロセッサ１８はデジタル音声信号を、内蔵されるＤ／Ａ変換器によってアナログ音声信号に変換（復号）して、図示しないアンプを介してスピーカ３２に与える。したがって、アナログ音声信号に対応する音声ないし音がスピーカ３２から出力される。なお、プロセッサ１８は、図示しないアンプの増幅率を制御することで、スピーカ３２から出力される音声ないし音の音量を調整することができる。
【００２７】
キー入力装置３４は、カーソルキー、通話キーおよび終話キーなどを備える。そして、使用者がキー入力装置３４に含まれるいずれかのキーを操作すると、操作したキーの情報（キーデータ）がプロセッサ１８に入力される。また、キー入力装置３４に含まれる各キーが操作されると、クリック音が鳴る。したがって、使用者は、クリック音を聞くことで、キー操作に対する操作感を得ることができる。
【００２８】
表示ドライバ３６は、プロセッサ１８の指示の下、ディスプレイ３８の表示を制御する。また、表示ドライバ３６は、ディスプレイ３８に出力するための画像データを一時的に記憶するビデオメモリ（図示せず）を含む。
【００２９】
このような構成の車載機器１００は、基地局２００から発信された８００ＭＨｚおよび２ＧＨｚの電話信号をアンテナ１２によって受信したり、８００ＭＨｚおよび２ＧＨｚの電話信号をアンテナ１２から基地局２００に送信したりする。また、車載機器１００は、
ＧＰＳ衛星３００から送信される１．５ＧＨｚのＧＰＳ信号をアンテナ１２で受信する。図示は省略するが、プロセッサ１８は、ＧＰＳ通信回路を含んでおり、受信したＧＰＳ信号を復調することで経緯度を求めることができる。
【００３０】
たとえば、使用者がキー入力装置３４を用いて電話発信（発呼）を指示すると、無線通信回路１６は、プロセッサ１８の指示の下、電話発信処理を実行し、アンテナ１２を介して電話発信信号を出力する。電話発信信号は、基地局２００および通信網（図示せず）を経て相手の電話機に送信される。そして、相手の電話機において着信処理が行われると、通信可能状態が確立され、プロセッサ１８は通話処理を実行する。
【００３１】
通常の通話処理について具体的に説明すると、相手の電話機から送られてきた８００ＭＨｚまたは２ＧＨｚの変調音声信号はアンテナ１２によって受信される。受信された変調音声信号は、無線通信回路１６で、分配、ダウンコンバートおよびノイズ除去された後、プロセッサ１８によって復調処理および復号処理が施される。そして、これらの処理によって得られた音声信号（受話音声信号）は、Ｄ／Ａ変換器によってアナログ音声信号に変換された後、スピーカ３２から出力される。
【００３２】
一方、マイク３０を通して取り込まれた送話音声信号は、プロセッサ１８に与えられ、Ａ／Ｄ変換器によってデジタル音声信号に変換された後に、変調処理および符号化処理が施され、無線通信回路１６で、アップコンバートおよびノイズ除去された後に、８００ＭＨｚまたは２ＧＨｚの変調音声信号としてアンテナ１２を介して出力される。したがって、変調音声信号は、基地局２００および通信網を介して相手の電話機に送信される。
【００３３】
また、使用者がキー入力装置３４を用いて現在位置を取得する操作が行われると、プロセッサ１８は、無線通信回路１６を制御することで、ＧＰＳ信号を取得する。そして、無線通信回路１６から出力されたＧＰＳ信号に基づいて、現在位置の経緯度を取得する。なお、地図機能が同時に実行されている場合、現在位置を示すアイコンが付された地図が、ディスプレイ３８に表示される。
【００３４】
さらに、プロセッサ１８は、使用者の操作に応じて、または、使用者の操作に関係なく、コネクタ５０に接続された外部機器との間で、信号を送受信する。
【００３５】
たとえば、このような車載機器１００では、電源オフ状態から電源オン状態にされることにより、リセット回路２６からリセット（電源リセット）が要求されたり、外部機器からリセット（外部リセット）が要求されたりすると、プロセッサ１８はリセットの処理を実行する。
【００３６】
ただし、電源リセットの要求に基づくリセットの処理と、外部リセットの要求に基づくリセットの処理とは異なるため、いずれのリセットであるか（リセットの種類）を区別する必要がある。したがって、この実施例では、リセット信号が外部リセットの要求に基づくものであるかどうかを判別することによって、電源リセットまたは外部リセットを判別するようにしてある。
【００３７】
図２は、リセット回路２６およびリセット判別回路２８の具体的な構成を示す。図２に示すように、リセット回路２６は、リセットＩＣ２６ａを含み、リセットＩＣ２６ａの電源端子（図示せず）には、図１に示した電源回路２４が接続される。リセットＩＣ２６ａの出力端（図示せず）には、抵抗Ｒ１の一方端およびダイオードＤ１のカソードが接続される。抵抗Ｒ１の他方端には、定電圧源ＶＤＤが接続される。ただし、定電圧源ＶＤＤは、電源回路２４から供給される電源（２．６Ｖ）である。以下、定電圧ＶＤＤについて同じ。ダイオードＤ１のアノードは、抵抗Ｒ２の一方端に接続されるとともに、プロセッサ１８の入力ポートＰ１に接続される。抵抗Ｒ２の他方端には、定電圧源ＶＤＤが接続される。
【００３８】
ダイオードＤ１と入力ポートＰ１との接続点には、ダイオードＤ２のアノードが接続される。ダイオードＤ２のカソードは、外部リセット制御信号が入力される端子５０ａに接続される。ただし、この実施例では、外部リセット制御信号は、通常ハイレベルであり、外部リセットの要求のタイミングで所定期間ローレベルにされ、その後ハイレベルに戻る電圧信号である。この端子５０ａは、コネクタ５０に含まれる端子である。ダイオードＤ２と端子５０ａとの接続点には、ダイオードＤ３のカソードが接続され、ダイオードＤ３のアノードは、Ｄ型フリップフロップ（以下、「Ｄ−ＦＦ」と表記する）２８ａのクロック端子（ＣＫ）に接続される。
【００３９】
なお、「所定期間」は、プロセッサ１８の処理能力やポートを読み取るタイミングによって決まる時間である。以下に示す「所定期間」も同様に決定されるが、すべての「所定期間」が同じ長さである必要はなく、適宜変更することが可能である。
【００４０】
Ｄ−ＦＦ２８ａのＤ端子（Ｄ）は、定電圧源ＶＤＤおよびプリセット端子（ＰＲ）に接続されるとともに、抵抗Ｒ４を介して、Ｄ−ＦＦ２８ａのクロック端子に接続される。また、Ｄ−ＦＦ２８ａのＱ端子（Ｑ）は、プロセッサ１８の入力ポートＰ２に接続される。そして、Ｄ−ＦＦ２８ａのクリア端子（ＣＬＲ）には、ＡＮＤ回路２８ｂの出力端が接続される。ＡＮＤ回路２８ｂの一方入力端は、抵抗Ｒ１を介して定電圧源ＶＤＤとリセットＩＣ２６ａの出力端に接続される。また、ＡＮＤ回路２８ｂの他方入力端は、プロセッサ１８の出力ポートＰ３に接続される。
【００４１】
以下、図３に示すタイミングチャートを適宜参照して、図２に示すプロセッサ１８、リセット回路２６およびリセット判別回路２８の動作について説明する。車載機器１００が、電源オフ状態から電源オン状態にされると、外部電源が電源回路２４を介してリセット回路２６に与えられる。したがって、リセットＩＣ２６ａに電源が付与されるとともに、定電圧源ＶＤＤが与えられる。つまり、図３（Ａ）に示すように、定電圧源ＶＤＤの電圧がローレベルからハイレベルに変化され、電源オン状態では、ハイレベルが維持される。また、ＡＮＤ２８ｂの一方入力端には、定電圧源ＶＤＤに基づく電圧信号（入力電圧信号）Ｓ１が与えられるため、図３（Ｂ）に示すように、入力電圧信号Ｓ１は、定電圧源ＶＤＤに同期し、電源が立ち上がって一定時間後にハイレベルが維持される。さらに、図３（Ｆ）に示すように、電源オン状態になると、出力ポートＰ３からの出力信号（クリア出力信号）Ｓ５は、ハイレベルとなる。このクリア出力信号Ｓ５は、プロセッサ１８が入力ポートＰ２を読み取った後に、所定期間ローレベルにされた後に、ハイレベルになる。したがって、ＡＮＤ回路２８ｂからＤ−ＦＦ２８ａのクリア端子への入力信号（クリア入力信号）Ｓ６は、クリア出力信号Ｓ５に同期して、論理状態（ハイレベルまたはローレベル）が変化される。図３（Ｈ）に示すように、Ｄ−ＦＦ２８ａは、クリア入力信号Ｓ６がハイレベルからローレベルになるタイミングＴ２（タイミングＴ４も同じ）でクリア（リセット）される。たたし、図３（Ｈ）に示すように、Ｑ端子から入力ポートＰ２への出力信号（リセット判別信号）Ｓ７は、電源立ち上げ時からローレベルが維持されるため、タイミングＴ２でリセットされても論理状態は変化されず、そのままローレベルが維持される。
【００４２】
また、外部電源が電源回路２４を介してリセットＩＣ２６ａに与えられると、図示は省略するが、リセットＩＣ２６ａは、ローレベルの電源リセット信号を出力する。つまり、リセットＩＣ２６ａは、プロセッサ１８に電源リセットを要求する。すると、ダイオードＤ１が導通（オン）するため、図３（Ｅ）に示すように、入力ポートＰ１への入力信号（リセット入力信号）Ｓ４はローレベルとなる。その後、電源リセット信号はオフされる。したがって、ダイオードＤ１がオフし、入力ポートＰ１には、定電圧源ＶＤＤからの電圧が抵抗Ｒ２を介して付与される。つまり、リセット入力信号Ｓ４がハイレベルとなる。ただし、外部電源がリセットＩＣ２６ａ（リセット回路２６）に与えられる前も、定電圧源ＶＤＤの電圧は０Ｖ（ローレベル）である。したがって、リセット入力信号Ｓ４は、電源オン状態になってから電源リセット信号がオフされるまで、ローレベルである。
【００４３】
また、電源オン状態では、外部リセットの要求が無い場合には、外部リセット制御信号はハイレベルであるため、図３（Ｃ）に示すように、端子５０ａからの電圧信号（端子電圧信号）Ｓ２はハイレベルである。このとき、ダイオードＤ２およびダイオードＤ３はオフされた状態である。したがって、Ｄ−ＦＦ２８ａのクロック端子には、定電圧源ＶＤＤからの電圧が抵抗Ｒ４を介して与えられる。つまり、外部リセットの要求がない場合には、図３（Ｄ）に示すように、クロック信号Ｓ３はハイレベルであり、これが維持される。したがって、クロック信号Ｓ３がローレベルからハイレベルに変化されないため、Ｄ端子の入力がラッチされることはない。つまり、図３（Ｈ）に示すタイミングＴ１では、リセット判別信号Ｓ７はローレベルである。
【００４４】
たとえば、プロセッサ１８は、リセット入力信号Ｓ４がローレベルからハイレベルになったときに、リセットの処理を実行する。上述したように、電源がオンされ、電源リセット信号が入力される場合には、外部リセットの要求が無いため、入力ポートＰ２へのリセット判別信号Ｓ７はローレベルである。このため、プロセッサ１８は、リセット入力信号Ｓ４が電源リセットの要求によるものであると判別する。したがって、プロセッサ１８は、電源リセットに基づくリセットの処理を実行する。
【００４５】
また、電源オン状態では、外部リセットの要求があると、図３（Ｃ）に示すように、端子電圧信号Ｓ２が所定期間ローレベルにされる。すると、ダイオードＤ２およびＤ３がオンする。したがって、リセット入力信号Ｓ４がローレベルとなる。また、リセット判別回路２８では、定電圧源ＶＤＤからの電流が抵抗Ｒ４およびダイオードＤ３を通して端子５０ａに流れる。したがって、図３（Ｄ）に示すように、端子電圧信号Ｓ２に同期して、クロック信号Ｓ３が所定期間ローレベルとなり、その後、ハイレベルになる。したがって、クロック信号Ｓ３がローレベルからハイレベルになるクロックの立ち上がり時に、Ｄ−ＦＦ２８ａのＤ端子への入力信号すなわち定電圧源ＶＤＤによるハイレベルの電圧信号がラッチされる。このため、図３（Ｈ）に示すタイミングＴ３で、入力ポートＰ２へのリセット判別信号Ｓ７がハイレベルとなる。
【００４６】
上述したように、プロセッサ１８は、リセット入力信号Ｓ４がローレベルからハイレベルになったときに、リセット処理を実行する。ただし、ここでは、リセット判別信号Ｓ７が、ハイレベルであるため、プロセッサ１８は、リセット入力信号Ｓ４が外部リセットの要求によるものであると判別する。したがって、プロセッサ１８は、外部リセットの要求に基づくリセットの処理を実行する。
【００４７】
上述したように、プロセッサ１８が、入力ポートＰ２をリードした後に、出力ポートＰ３からＡＮＤ回路２８ｂの他方入力端に出力されるクリア出力信号Ｓ５が一旦ローレベルにされる。このとき、ＡＮＤ回路２８ｂの出力端からＤ−ＦＦ２８ａのクリア端子に入力されるクリア入力信号Ｓ６が、所定期間ローレベルにされた後に、ハイレベルにされる。Ｄ−ＦＦ２８ａは、クリア入力信号Ｓ６がハイレベルからローレベルにされたときに、リセットされ、図３（Ｈ）に示すタイミングＴ４で、Ｑ端子から出力されるリセット判別信号Ｓ７がローレベルにされる。その後、クリア出力信号Ｓ５がハイレベルにされると、クリア入力信号Ｓ６もハイレベルにされる。
【００４８】
この実施例によれば、リセット判別回路を設けることにより、リセット信号が外部リセットの要求によるものであるかどうかを判別することにより、結果として、電源リセットまたは外部リセットを判別するので、簡単な構成でリセットの種類を判別することができる。したがって、リセットの種類に応じて、適切なリセットの処理を実行することができる。
【００４９】
なお、この実施例では、車載機器に適用される通信モジュールにリセット回路を設けた場合についてのみ説明したが、これに限定される必要はない。通信モジュールを備える通信機器（通信端末）、たとえば、携帯電話機、スマートフォンおよびＰＤＡ（Ｐｅｒｓｏｎａｌ  Ｄｉｇｉｔａｌ  Ａｓｓｉｓｔａｎｔ）に設けることもできる。また、車載機器としては、カーナビゲーションシステムに限定される必要はなく、その他の適宜な機器に適用することが可能である。
【００５０】
また、図３に示したタイミングチャートは、単なる一例であり、通信モジュール、車載機器や外部機器の動作によって変化されることは言うまでもない。
【００５１】
さらに、この明細書で挙げた、電源電圧などの具体的な数値は、単なる一例であり、製品の仕様などの必要に応じて適宜変更可能である。
【符号の説明】
【００５２】
１０  …通信モジュール
１２  …アンテナ
１６  …無線通信回路
１８  …プロセッサ
２４  …電源回路
２６  …リセット回路
２８  …リセット判別回路
１００…車載機器
２００…基地局
３００…ＧＰＳ衛星
【図１】
2012174000.tif 000003
【図２】
2012174000.tif 000004
【図３】
2012174000.tif 000005